(57)【要約】【課題】  遊技盤のスペースを有効に活用し、遊技部品の配置の自由度を向上させることを可能とする弾球遊技機の組み付け構造及び遊技盤を提供することにある。【解決手段】  入球進入孔６３ａが形成され遊技盤２の正面（前面）側から装着された基体６３と、遊技球が入球可能な入球部６４ａ及び入球部６４ａから入球進入孔６３ａまで遊技球を案内する遊技球案内路６４ｂを有する装飾部材６４とを、備えた始動入賞装置６０を遊技盤２に組み付けた弾球遊技機１の構造において、遊技盤２に遊技球通路８０を形成し、遊技球通路８０を入球進入孔６３ａに連通させたことを特徴とする。これにより、始動入賞装置６０には、遊技盤２の配置に影響を与える球通路が形成されておらず、始動入賞装置６０の配置の自由度を向上させることができる。【選択図】  図７
2006043087.tif 000002
【特許請求の範囲】
【請求項１】
入球進入孔が形成され、遊技盤の正面（前面）側から装着された基体と、
遊技球が入球可能な入球部及び該入球部から前記入球進入孔まで遊技球を案内する遊技球案内路を有する装飾部材とを、備えた遊技部品を前記遊技盤に組み付けた弾球遊技機の構造において、
前記遊技盤に遊技球が通行可能な遊技球通路を形成し、該遊技球通路を前記入球進入孔に連通させたことを特徴とする弾球遊技機の構造。
【請求項２】
前記遊技球通路は、前記遊技盤の盤面と略平行に延びることを特徴とする請求項１に記載の弾球遊技機の構造。
【請求項３】
前記遊技球通路は前記遊技盤の内部に形成されていることを特徴とする請求項１又は２に記載の弾球遊技機の構造。
【請求項４】
前記遊技球通路に、段差が形成されていることを特徴とする請求項１乃至３に記載の弾球遊技機の構造。
【請求項５】
前記遊技球通路は、下方向又は斜め下方向に延びることを特徴とする請求項１乃至４に記載の弾球遊技機の構造。
【請求項６】
請求項１乃至５に記載の弾球遊技機の構造を備えたことを特徴とする弾球遊技機。
【請求項７】
釘や各種遊技部品が装着される弾球遊技機の遊技盤において、
盤面と略平行に延びた遊技球通路が形成されたことを特徴とする遊技盤。
【請求項８】
前記遊技球通路は前記遊技盤の内部に形成されていることを特徴とする請求項７に記載の遊技盤。
【請求項９】
前記遊技球通路に、段差が形成されていることを特徴とする請求項７又は８に記載の遊技盤。
【請求項１０】
前記遊技球通路は、下方向又は斜め下方向に延びることを特徴とする請求項７乃至９に記載の遊技盤。
【請求項１１】
請求項７乃至１０に記載の遊技盤を備えたことを特徴とする弾球遊技機。
【発明の詳細な説明】
【技術分野】
【０００１】
本発明は、パチンコ遊技機等の弾球遊技機、及び、その構造と遊技盤に関し、特に、弾球遊技機の遊技盤に組み付けられて使用される遊技部品と遊技盤との組み付け構造と遊技盤、及び、該構造又は該遊技盤を備えた弾球遊技機に関する。
【背景技術】
【０００２】
一般に、弾球遊技機の一つであるパチンコ遊技機では、遊技者は遊技盤面に設けられている入賞部等に遊技球を入球させ、遊技を行う。当該入賞部は、一般入賞部、始動入賞部等に分類され、例えば、カップ、ポケット、ゲート等の役物（遊技部品）、或いは、チューリップに代表される電動役物（遊技部品）等で構成される。例えば、従来の第１種パチンコ遊技機においては、遊技球が一般入賞部に入賞すると、所定の個数の賞球が遊技者に与えられ、始動入賞部に入賞すると、所定の個数の賞球と共に、例えば、乱数抽選による大当たりか否かの判定（大当たり抽選）が行なわれる。そして、該大当たり抽選において大当たりに当選した場合、遊技盤面に設けられた通常は閉鎖されている大入賞口が開放され、特別遊技が開始される。
【０００３】
このようなパチンコ遊技機に用いられるカップ、ポケット、ゲート、チューリップ等の遊技部品は、多くの種類の遊技部品が検討、開発され、例えば、特許文献１には、コンパクトで且つ組み立て性を向上したチューリップ式役物が提案されている。また、特許文献２には、役物（入賞装置）の装飾部材（盤面上で視認される部分をいう）として通過口用と入賞口用との２種類を用意し、用途に応じて装飾部材のみを交換することで、通過装置又は入賞装置のいずれにも利用可能な入賞装置が提案されている。  
【特許文献１】特開２００１−３０００４４号公報
【特許文献２】特開２００４−１７４１２８号公報
【発明の開示】
【発明が解決しようとする課題】
【０００４】
従来の役物（入賞装置）は、遊技球が入球可能な開口部（入球部）を有する遊技盤の前面（正面）側に配設される装飾部材と、遊技球が通過する進入孔が形成された基体（ベース）と、該進入孔より遊技盤の裏面（背面）側に延びる球通路により略構成される。すなわち、役物の入球部に入球した遊技球は、進入孔を通過後、球通路により誘導され、遊技盤の裏面側に排出される。
【０００５】
上記特許文献１に記載されたチューリップ式役物（入賞装置）では、遊技盤の前面側に２個の可動翼と翼支持部材が配設され、可動翼間に遊技球が入球可能な開口部（入球部）が形成され、背面側には遊技球検出装置を装着した球通路が形成されている。また、上記特許文献２に記載された入賞装置では、遊技球が進入可能な開口部（入球部）を有する装飾部材が、進入孔及び該進入孔から遊技盤面の背面へ連通して遊技球が通行可能な球通路を有するベース（基体）の正面（前面）側に装着されている。
【０００６】
このように、従来の入賞装置（遊技部品）は、前面（正面）側に遊技球が入球可能な開口部（入球部）を有する装飾部材が形成され、背面（裏面）側には遊技球を誘導する球通路が形成されていた。遊技球を誘導する球通路が遊技部品に形成されていると、球通路を新たに設ける必要がないので、遊技部品の組み付け作業が簡単である。しかし、球通路が遊技部品に形成されていると、この球通路が障害となり、遊技盤における遊技部品の配置に制限を与える問題が生じる。すなわち、遊技盤の所定の位置に、所定個数の遊技部品等を配置したいと遊技開発者が希望しても、遊技部品の球通路が物理的に干渉し、そのような遊技部品の配置ができない虞が生じる。特に、迫力ある遊技演出を遊技者に提供する為に大型の図柄表示装置を備えたパチンコ遊技機が登場しており、図柄表示装置が大きくなると、遊技部品が配置可能な遊技盤のスペースが減少してしまう。
【０００７】
本発明は、上記のような課題に鑑みなされたものであり、その目的は、遊技盤のスペースを有効に活用し、遊技部品の配置の自由度を向上させることを可能とする弾球遊技機の遊技部品と遊技盤との組み付け構造及び遊技盤を提供することにある。また、このような組み付け構造又は遊技盤を備えた弾球遊技機を提供することにある。
【課題を解決するための手段】
【０００８】
上記目的達成のため、本発明の弾球遊技機の構造では、遊技球を誘導する球通路を遊技部品（役物）に形成させないで、遊技盤に入賞球通路を形成した。
【０００９】
しかして、本発明に係る弾球遊技機の構造では、入球進入孔が形成され、遊技盤の正面（前面）側から装着された基体と、遊技球が入球可能な入球部及び該入球部から前記入球進入孔まで遊技球を案内する遊技球案内路を有する装飾部材とを、備えた遊技部品を前記遊技盤に組み付けた弾球遊技機の構造において、前記遊技盤に遊技球が通行可能な遊技球通路を形成し、該遊技球通路を前記入球進入孔に連通させたことを特徴としている。
【００１０】
これにより、遊技部品には、遊技盤の役物配置に影響を与える球通路が形成されていないので、遊技部品の配置の自由度を向上させることができる。また、遊技球通路が前記遊技盤に形成されているので、該遊技球通路により遊技球を誘導することが可能である。
【００１１】
また、本発明に係る弾球遊技機の構造では、前記遊技球通路は、前記遊技盤の盤面と略平行に延びることを特徴としている。これにより、遊技球を所望の位置まで誘導することが可能である。
【００１２】
また、本発明に係る弾球遊技機の構造では、前記遊技球通路は前記遊技盤の内部に形成されていることを特徴としている。これにより、限られたスペースを有効に利用することができるので、遊技部品の配置の自由度を更に向上させることが可能である。
【００１３】
また、本発明に係る弾球遊技機の構造では、前記遊技球通路に、段差が形成されていることを特徴としている。これにより、遊技球を確実に誘導することが可能である。
【００１４】
また、本発明に係る弾球遊技機の構造では、前記遊技球通路は、下方向又は斜め下方向に延びることを特徴としている。これにより、遊技球を流下させて誘導することが可能である。
【００１５】
また、本発明に係る弾球遊技機では、上述した弾球遊技機の構造を備えたことを特徴としている。これにより、上述した特徴を有する弾球遊技機を提供することが可能である。
【００１６】
また、本発明に係る遊技盤では、釘や各種遊技部品が装着される弾球遊技機の遊技盤において、盤面と略平行に延びた遊技球通路が形成されたことを特徴としている。これにより、遊技球を所望の位置まで誘導することができ、また、遊技部品の配置の自由度を向上させることが可能である。
【００１７】
また、本発明に係る遊技盤では、前記遊技球通路は前記遊技盤の内部に形成されていることを特徴としている。これにより、限られたスペースを有効に利用することができるので、遊技部品の配置の自由度を更に向上させることが可能である。
【００１８】
また、本発明に係る遊技盤では、前記遊技球通路に、段差が形成されていることを特徴としている。これにより、遊技球を確実に誘導することが可能である。
【００１９】
また、本発明に係る遊技盤では、前記遊技球通路は、下方向又は斜め下方向に延びることを特徴としている。これにより、遊技球を流下させて誘導することが可能である。
【００２０】
更に、本発明に係る弾球遊技機では、上述した遊技盤を備えたことを特徴としている。これにより、上述した特徴を有する弾球遊技機を提供することが可能である。
【発明の効果】
【００２１】
本発明によれば、前記遊技盤に遊技球が通行可能な遊技球通路を形成し、該遊技球通路を前記入球進入孔に連通させたので、遊技部品には遊技盤の役物配置に影響を与える球通路が形成されていない。これにより、遊技部品の配置の自由度を向上させることが可能で、遊技盤に形成した遊技球通路により遊技球を誘導することが可能である。
【００２２】
また、本発明によれば、前記遊技球通路は前記遊技盤の盤面と略平行に延びるので、遊技球を所望の位置まで誘導することが可能である。
【００２３】
また、本発明によれば、弾球遊技機の遊技盤において、盤面と略平行に延びた遊技球通路が形成されているので、遊技球を所望の位置まで誘導することができ、また、遊技部品の配置の自由度を向上させることが可能である。
【００２４】
また、本発明によれば、前記遊技球通路は前記遊技盤の内部に形成されているので、限られたスペースを有効に利用することができ、遊技部品の配置の自由度を更に向上させることが可能である。
【００２５】
また、本発明によれば、前記遊技球通路に段差が形成されているので、遊技球を確実に誘導することが可能である。
【００２６】
また、本発明によれば、前記遊技球通路は下方向又は斜め下方向に延びるので、遊技球を流下させて誘導することが可能である。
【００２７】
更に、本発明によれば、上述した弾球遊技機の構造又は遊技盤を備えた弾球遊技機を提供することが可能である。
【発明を実施するための最良の形態】
【００２８】
本発明の実施形態の一つについて、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００２９】
初めに、本発明の第１の実施形態に係る弾球遊技機１の構成について図１及び図２を参照して説明する。
【００３０】
図１は、本発明の第１の実施形態に係る弾球遊技機１の遊技盤２の正面（前面）側盤面を示す正面図である。この弾球遊技機１の遊技盤２の略中央には、センター役物２０が配設されている。センター役物２０は、中央に前後開口する大きな窓口を有する枠状に形成された物理的役物（図２参照）で、その上部（上枠部）に遊技球が入球する役物入口２１が配設されている。役物入口２１からセンター役物２０の側枠部にかけて案内通路２２が形成され、下枠部には遊技球が転動する上段ステージ３０と下段ステージ４０とが配設され、更に、上段ステージ３０と下段ステージ４０の間には特別通路５０が配設される。
【００３１】
図２は、センター役物２０の全体を示す斜視図である。続いて、図２を参照して、センター役物２０の構成について説明する。図２に示すように、センター役物２０の下枠部には遊技球が転動する上段ステージ３０（第１のステージ３１、第２のステージ）が窓口の奥側に配設され、上段ステージ３０の手前側には下段ステージ４０が平行に配設されている。上段ステージ３０は、手前側（下段ステージ４０側）に配設された第１のステージ３１及び奥側に配設された第２のステージにより略構成される。
【００３２】
第１のステージ３１は役物入口２１より延びる案内通路２２に連設されており、役物入口２１から入球した遊技球は案内通路２２を介して第１のステージ３１上に流下する。第２のステージ３２は、第１のステージ３１と平行に第１のステージ３１より奥側に配設され、その略中央に流下孔３４が配設されている。第１のステージ３１と第２のステージ３２の間には四つの中央リブ３６、３６、３６、３６が形成され、第１のステージ３１の手前側端部（下段ステージ４０との境界）には三つの上段リブ３５、３５、３５が形成され、更に、第２のステージ３２の奥側端部には奥側リブ３７が形成されている。これらのリブは、第１、第２のステージ３１、３２上を転動する遊技球を案内するガイドであり、また、遊技球のステージ間移動を制限し、更に、遊技球が上段ステージ３０から落下するのを防止する。
【００３３】
第１のステージ３１の手前側には、上段ステージ３０（第１のステージ３１、第２のステージ３２）よりも１段低く形成された下段ステージ４０が配設されている。
【００３４】
下段ステージ４０の略中央手前側には遊技球の排出経路４１が配設され、下段ステージ４０にはこの排出経路４０に向かって下がる僅かな勾配がつけられている。すなわち、下段ステージ４０上を転動する遊技球は、この勾配により排出経路４１側に誘導され、排出経路４１を経由してセンター役物２０から排出される。また、下段ステージ４０上には排出経路４１を取り囲むように略放射線状の凹凸４２（以下、「放射線状凹凸４２」という）が形成され、下段ステージ４０の手前側端部には下段リブ４３が形成されている。
【００３５】
下段ステージ４０の略中央には、下段ステージ４０の上方を跨いで前方（手前側）に突出して延びる特別通路５０が配設されている。特別通路５０は、流下孔３４から第１のステージ３１の下をくぐり下段ステージ４０の上方を跨いで前方に突出するような形状（断面略Ｓ字形）となっている。特別通路５０は流下孔３４に入球した遊技球の通路であって、特別通路５０の上面は滑らかな曲面が形成されている。
【００３６】
特別通路５０の突出部（先端）は、下段ステージ４０の下段リブ４３より更に前方（手前側）に延びている。この特別通路５０の先端には落下孔５２が形成され、特別通路５０上を先端まで進んできた遊技球はこの落下孔５２より下に落下する。
【００３７】
次に、センター役物２０以外の弾球遊技機１の構成について、図１を参照して説明する。センター役物２０の略中央（前述したセンター役物２０の中央の大きな窓口部分）には、図柄や遊技演出等の識別情報を可変表示する可変表示装置の一例として、図柄表示装置３が配設されている。本実施形態の図柄表示装置３は、従来の図柄表示装置より大型の、例えば、１０．４インチサイズの液晶ディスプレイが用いられており、従来より迫力のある遊技演出を遊技者に提供することができる。なお、この図柄表示装置３は、主に液晶ディスプレイが使用されるが、画面上に画像等の識別情報を表示可能であれば、例えば、ＣＲＴ、ドットマトリックス等の表示装置であっても良い。
【００３８】
センター役物２０の下方には、本発明の特徴部分を構成する遊技部品の一例としての始動入賞装置６０が配設されている。この始動入賞装置６０の上部の入球部６４ａ（図３（ｂ）参照）には、開口幅を拡大させる拡大装置６１、６１が配設されている。この拡大装置６１、６１は、通常は遊技球を１個通過可能とするが２個同時通過不可能な幅を保つことにより、始動入賞装置６０への遊技球の入賞を困難なものとしているが、拡大作動時は広い範囲で遊技球を拾うことが可能となり、始動入賞装置６０への遊技球の入賞を容易なものとする。
【００３９】
更に、拡大装置６１、６１の上方には、遊技球の始動入賞装置６０への入賞を制限する入賞ゲート６２が配設されている。後述するように、入賞ゲート６２は遊技盤２より前方（手前側）に突出した枠上のゲートであって、中央に遊技球が通過する通過孔６２ａが形成されている（図３（ａ）参照）。この入賞ゲート６２により、上述したセンター役物２０に入球し下段ステージ４０の排出経路４１より排出された遊技球は、始動入賞装置６０への入賞が制限される。但し、拡大装置６１、６１が作動（開放）されていれば、始動入賞装置６０への入賞は可能である。一方、センター役物２０に入球し特別通路５０を通過して落下孔５２より落下した遊技球は、入賞ゲート６２の通過孔６２ａを通過するので、拡大装置６１、６１の作動に関わらず始動入賞装置６０に入賞する。なお、始動入賞装置６０の各構成を図３、図４に示し、その説明を後述する。
【００４０】
始動入賞装置６０の左側には、遊技球が通過可能な作動ゲート７が配設され、該作動ゲート７の左側には入賞口５が配設されている。作動ゲート７には通過した遊技球を検出する図示しない検出装置が設けられ、遊技球の通過を契機として普通図柄表示部１１における普通図柄の変動表示が開始される。普通図柄は普通図柄表示部１１に設けられたランプの表示によって示され、当該ランプが所定の状態に点灯すると、始動入賞装置６０の拡大装置６１、６１が所定時間だけ作動される。
【００４１】
次に、始動入賞装置６０の下方には、アタッカーユニット８が配設されている。このアタッカーユニット８の正面略中央には、特別遊技が実行される際に開放される大入賞口９が設けられている。特別遊技（大当たり）とは、図柄表示装置３に停止表示される図柄が所定の大当たり図柄の場合に遊技者に特別の利益が提供されるような遊技であって、特別遊技は所定のラウンド数（例えば、最大１５ラウンド）の単位特別遊技より構成される。単位特別遊技とは、通常は閉鎖されている大入賞口９を、例えば、所定の時間が経過するまで、又は、所定個数の遊技球の入賞があるまで特別に開放させ、この間に大入賞口９に入賞した各遊技球に対して所定の個数の賞球を遊技者に与えるような遊技である。
【００４２】
遊技盤２の下端には、始動入賞装置６０、入賞口５、大入賞口９の何れにも入賞しなかった遊技球が排出されるアウト口１０が配設されている。また、遊技盤２には、遊技球の落下方向に変化を与える図示しない釘等が配設されている。そして、遊技盤２の前面は、図示しないガラス板で覆われている。更に、遊技盤２の下方には、遊技球を遊技盤２の正面側下端から上端へ打ち出すための図示しない弾球ハンドルや、始動入賞装置６０、入賞口５、大入賞口９に遊技球が入賞したときに所定の個数の遊技球が払い出される図示しない賞球払出口、及び、それらの遊技球を受ける球受け皿がそれぞれ配設されている。
【００４３】
以上のような構成の弾球遊技機１の遊技の概要について、図１及び図２に基づき説明する。遊技者が弾球ハンドルを操作すると、遊技球が発射されガイドレール１２に案内されて遊技盤２の正面側上方に放出される。遊技球の一部は役物入口２１よりセンター役物２０に入球し、他の遊技球は図示しない釘等に接触して落下方向を変化させながら、一部の遊技球は入賞口５又は始動入賞装置６０に入賞する。遊技球が入賞口５に入賞すると、賞球払出口から例えば５球の賞球が遊技者に払い出される。
【００４４】
役物入口２１に入球し、案内通路２２を経由して第１のステージ３１上に流下した遊技球は、図２の右方向に移動し中央付近の波状ステージ面を越えた後、ステージ右端部の傾斜面を駆け上がる。駆け上った遊技球は、今度は反対方向（図２の左方向）に移動を始め、第１のステージ３１上を往復する。第１のステージ３１は略弓形に形成されているので、遊技球は第１のステージ３１上を往復運動を繰り返しつつ転動する。そして、第１のステージ３１上を転動する遊技球は、中間リブ３６、３６の間を通過して第２のステージ３２に移動するか、上段リブ３５、３５の間を通過して下段ステージ４０側に流下する。なお、第１のステージ３１の中央部分が波状に形成されているので、案内通路２２を経由して第１のステージ３１上に勢いよく流下した遊技球が、この中央部分で跳ねて、上段リブ３５又は中央リブ３６を飛び越え下段ステージ４０又は第２のステージ３２に移動することもある。
【００４５】
上段ステージ３０上を転動をする遊技球は、いずれ第２のステージ３２に設けられた流下孔３４に入球するが、第１のステージ３１上の略中央に形成された特定窪み３３から流下孔３４内に直接入球した遊技球はまっすぐ流下した後、特別通路５０の傾斜面をいっきに駆け上がり落下孔５２に至る。しかし、例えば、第２のステージ３２を転動後流下孔３４内に落下した遊技球は、直ぐに特別通路５０から外れるか、特別通路５０上に形成された傾斜部５１、５１により両脇方向にはじかれて特別通路５０から外れてしてしまう。この結果、第２のステージ３２を転動後流下孔３４内に落下した遊技球が特別通路５０の傾斜面を駆け上がり落下孔５２に到達するのは困難である。なお、特別通路５０から外れた遊技球は、特別通路５０の両脇を通過して下段ステージ４０に案内される。
【００４６】
特別通路５０の先端まで到達した遊技球は、落下孔５２より下に落下する。落下孔５２より落下した遊技球は、入賞ゲート６２の通過孔６２ａを通過して、拡大装置６１、６１の作動に関わらず始動入賞装置６０に入賞する。
【００４７】
一方、下段ステージ４０に案内され、下段ステージ４０上を転動する遊技球は、排出経路４１側に誘導され、排出経路４１を介してセンター役物２０から下方へ排出される。排出経路４１より排出された遊技球のほとんどは、入賞ゲート６２に衝突するので、拡大装置６１、６１が作動（開放）されていない通常の状態では始動入賞装置６０への入賞は困難である。但し、拡大装置６１、６１が作動（開放）されていれば、遊技球は入賞ゲート６２に衝突しても始動入賞装置６０へ入賞可能である。
【００４８】
このように、センター役物２０に入球した一部の遊技球は特別通路５０を経由して落下孔５２より落下して始動入賞装置６０に入賞する。また、センター役物２０に入球したその他の遊技球は、上段ステージ３０、下段ステージ４０上を転動後、排出経路４１より下方に排出される。この排出経路４１より排出された遊技球は、拡大装置６１、６１が開放されていれば始動入賞装置６０へ入賞可能であるが、通常の状態では入賞ゲート６２により始動入賞装置６０への入賞は困難である。最終的に始動入賞装置６０又は入賞口５のいずれにも入賞しなかった遊技球は、アウト口１０を介して遊技盤２の裏面側に排出される。
【００４９】
次に、遊技球が作動ゲート７を通過すると、図示しない作動ゲート通過検出装置からの通過信号を契機に普通図柄抽選が行われ、普通図柄表示部１１において普通図柄の変動を開始する。そして、変動が開始してから例えば３０秒が経過すると、抽選された結果の態様で普通図柄が停止する。このとき普通図柄の停止態様が予め定められた当たりの態様であれば、始動入賞装置６０の拡大装置６１、６１が作動され、例えば０．５秒間だけ保持される。この間、始動入賞装置６０の開口幅が拡大されているので、始動入賞装置６０への入賞が容易となる。また、普通図柄の停止態様が予め定められた外れの態様であれば、始動入賞装置６０の拡大装置６１、６１は作動されないが、この場合でも、上述したように、始動入賞装置６０への入賞は可能である。なお、普通図柄表示部１１において普通図柄の変動中に遊技球がゲート７を通過した場合には、その分の変動は保留されて順次実行される。
【００５０】
次に、遊技球が始動入賞装置６０に入賞すると、入賞検出装置６５（図３参照）からの検出信号を契機に賞球払出口から例えば５球の賞球が遊技者に払い出されると共に、乱数抽選による大当たり判定処理が開始される。当該判定結果は、図柄表示装置３に図柄を変動表示した後停止図柄を表示する図柄変動演出と図示しない音声出力部からの音声出力等により遊技者に報知される。この図柄変動演出は、単に大当たり判定処理の結果を遊技者に報知するのみでなく、遊技者に大当たり当選を期待又は予感させる、例えば、リーチ、ダブルリーチ等の遊技演出を含み、遊技者に多くの興趣を与えるものである。
【００５１】
図柄表示装置３に所定の大当たり図柄（例えば、「７」「７」「７」の特定のゾロ目の図柄）が停止表示されると大当たり当選であって、続いて特別遊技が開始される。すなわち、普段は閉鎖されている大入賞口９が開放され、遊技球は大入賞口９へ入賞することが可能となる。遊技球が大入賞口９に入賞すると、賞球払出口から所定の個数（例えば１５球）の賞球が遊技者に払い出される。開放された大入賞口９は、例えば、開放後３０秒経過するか、１０球の入賞があるかの何れかにより一旦閉鎖される。そして、大入賞口９が開放されている間に、大入賞口９の内部に設けられているＶゾーンへの入賞があると、大入賞口９は一旦閉鎖された後、再度開放される。このような大入賞口９の開放及び閉鎖を所定の回数（例えば、１５ラウンド）だけ繰り返し行う。一方、大入賞口９が所定の回数だけ開閉を繰り返すか、大入賞口９の開放中にＶゾーンへの入賞が無かった場合には特別遊技は終了する。
【００５２】
次に、本発明の特徴部分を構成する始動入賞装置６０について、図３〜図６を参照して説明する。図３は本実施形態に係る始動入賞装置６０を示す図であり、図３（ａ）は始動入賞装置６０の平面図（上面図）、図３（ｂ）は正面図、図３（ｃ）は右側面図、図３（ｄ）は背面図である。図４は、始動入賞装置６０の背面側を示す斜視図である。これに対し、図５は従来の始動入賞装置７０を示す図であり、図５（ａ）は始動入賞装置７０の正面図、図５（ｂ）は右側面図、図５（ｃ）は下方から見た平面図（下面図）である。図６は、従来の始動入賞装置７０の背面側を示す斜視図である。続いて、本実施形態に係る始動入賞装置６０について、従来の始動入賞装置７０と対比しつつ説明する。
【００５３】
図３（ｂ）に示すように、始動入賞装置６０は、遊技盤２（図１参照）の正面（前面）側盤面に装着される基体６３と、基体６３に取り付けられた装飾部材６４及び入賞ゲート６２より略構成される。基体６３は始動入賞装置６０のベースであって、下方中央部付近に遊技球が通過する入球進入孔６３ａが形成されている（図３（ｄ）参照）。
【００５４】
装飾部材６４は、遊技盤２の前面（正面）側に突出して配設され、遊技者が入賞装置と視認する部分である。図３（ｂ）に示す装飾部材６４には、拡大装置６１、６１が配設され、拡大装置６１、６１の間に遊技球が入球可能な入球部６４ａが形成される。この入球部６４ａは上方が開口した形状となっており、その内側に、始動入賞装置６０に入球した遊技球を検出する入賞検出装置６５が配設されている（図３（ａ）、図３（ｃ）参照）。また、装飾部材６４の内側には、図３（ｃ）に示すように、入球部６４ａから入球進入孔６３ａまで延びる遊技球案内路６４ｂが形成され、この遊技球案内路６４ｂにより入球部６４ａに入球した遊技球は入球進入孔６３ａに案内される。
【００５５】
入賞ゲート６２は、図３（ｃ）に示すように、基体６３（遊技盤２）より前方（手前側）に突出した枠上のゲートであって、その中央に遊技球が通過する通過孔６２ａが形成されている（図３（ａ）参照）。この入賞ゲート６２は、上述したように、センター役物２０に入球し下段ステージ４０の排出経路４１より排出された遊技球が入球部６４ａ（始動入賞装置６０）へ入球するのを制限する。
【００５６】
次に、始動入賞装置６０の背面側の構成について、従来の始動入賞装置７０と対比しながら説明する。はじめに、従来の始動入賞装置７０の背面側の構成について、図５及び図６を参照して説明する。なお、本実施形態の始動入賞装置６０と従来の始動入賞装置７０との差異は、始動入賞装置７０の背面下部に形成された球通路部７８（図５（ｂ）、図５（ｃ）、図６参照）が始動入賞装置６０にはないことである。従来の始動入賞装置７０の他の構成は、本実施形態に係る始動入賞装置６０の構成と同じであるので、その説明を省略し、始動入賞装置６０の各構成に相当する符号を付して示すものとする。
【００５７】
図６に示すように、基体７３の背面側には拡大装置７１、７１（図５（ａ）参照）の駆動源である拡大装置駆動源７６ｃが配設され、固定部材７７等を介して基体７３に取り付けられている。拡大装置駆動源７６ｃは駆動中継部材７６ｂを介して拡大装置突起部７６ａを上下方向に可動させ、この拡大装置突起部７６ａの動きに連動して拡大装置７１が作動される。なお、図６には、片側の拡大装置７１のみ示されているが、もう一方の拡大装置７１も同様に作動される。
【００５８】
これら拡大装置駆動機構７６（拡大装置突起部７６ａ、駆動中継部材７６ｂ、拡大装置駆動源７６ｃ）の下方には、本実施形態の始動入賞装置６０には設けられていない球通路部７８が配設されている。球通路部７８は、基体７３の下方中央部付近に形成された入球進入孔７３ａ（図５（ａ）参照）より背面側に突出した形状を有する遊技球の通路である。球通路部７８は、始動入賞装置７０に入球し、入球進入孔７３ａを通過した遊技球を遊技盤２の背面側に排出する。従来の始動入賞装置７０には、この球通路部７８が一体的に形成させていたので、始動入賞装置７０の遊技盤２への組み付け作業を簡単に行うことができた。その一方で、この球通路部７８が時として障害となり、遊技盤２における始動入賞装置７０の配置に制限を与える問題を生じさせていた。
【００５９】
次に、本実施形態の始動入賞装置６０の背面側の構成について、図３及び図４を参照して説明する。上述したように、始動入賞装置６０には、従来の始動入賞装置７０の球通路部７８が形成されていない。また、図３、図４に示す始動入賞装置６０では、図５、図６に示す拡大装置駆動機構７６に相当する拡大装置駆動機構は拡大装置突起部６６ａのみが示されその他は省略されている。始動入賞装置６０は、上述した始動入賞装置７０と同様に、基体６３の背面側には拡大装置６１、６１の駆動源である拡大装置駆動源が配設され、固定部材６７、６７等を介して基体６３に取り付けられる（図４参照）。拡大装置駆動源は駆動中継部材を介して拡大装置突起部６６ａ、６６ａを上下方向に可動させ、この拡大装置突起部６６ａ、６６ａの動きに連動され、一対の拡大装置６１、６１が作動される。
【００６０】
次に、本発明の特徴部分を構成する始動入賞装置６０と遊技盤２との組み付け構造について、図７を参照して説明する。図７（ａ）は遊技盤２から始動入賞装置６０とアタッカーユニット８とを外した状態を示す遊技盤２の部分拡大正面図であり、図７（ｂ）は図７（ａ）におけるＸ−Ｘ線矢視図で、遊技盤２に形成された遊技球通路８０示す遊技盤２の部分横断面図である。
【００６１】
図７（ａ）に示すように、遊技盤２には始動入賞装置６０が組み付けられる始動入賞装置取付孔６０ａが形成されている。また、アウト口１０の上方には、アタッカーユニット８が組み付けられるアタッカユニット取付孔８ａが形成されている。
【００６２】
図７（ａ）に示すように、遊技盤２の正面（前面）側の始動入賞装置取付孔６０ａの下方には遊技球通路８０が形成されている。遊技球通路８０は、遊技盤２の正面側に形成された遊技球通路入口８１と、遊技盤２の裏面側に形成された遊技球通路出口８３と、該遊技球通路入口８１と該遊技球通路出口８３を結ぶ通路部８２より略構成される。
【００６３】
遊技球通路入口８１は始動入賞装置６０の入球進入孔６３ａと連通するように形成され、始動入賞装置６０の入球部６４ａに入球した遊技球は、入球進入孔６３ａを通過後、遊技球通路８０により遊技盤２の裏側に案内される。
【００６４】
遊技盤２に形成された遊技球通路８０は、図７（ｂ）に示すように、遊技球通路入口８１が遊技盤２の正面側（図７（ｂ）の下側）から裏面側に延びた後屈曲し、通路部８２が遊技盤２の盤面と平行に略水平方向に延びた後更に屈曲し、遊技球通路出口８３が遊技盤２の裏面側（図７（ｂ）の上側）に開口した形状に形成されている。なお、通路部８２には、遊技球通路入口８１から遊技球通路出口８３に下がる勾配が付けられているので、遊技球は技球通路入口８１から遊技球通路出口８３へ通路部８２内を流下する。
【００６５】
なお、図７（ｂ）に示す遊技球通路８０は、遊技盤２の内部（内側）にトンネル状に形成されているが、遊技球通路８０はこれに限られものではない。例えば、遊技盤２の盤面上（正面側又は裏面側）に盤面と平行な方向に延びる溝を形成し、この溝をカバー等で覆うようにして通路部８２を遊技盤２に形成させてもよい。
【００６６】
また、遊技球通路８０に段差を形成させてもよく、段差を形成させることで始動入賞装置６０を所望の位置に配設することができる。これにより、遊技盤２のスペースを更に有効に利用することができるので、始動入賞装置６０（遊技部品）の配置の自由度を更に向上させることが可能である。
【００６７】
以上、第１の実施形態に係る弾球遊技機１では、大型の図柄表示装置３が配設されているため、遊技部品が配置可能な遊技盤のスペースが限られる。このため、従来の始動入賞装置７０をアタッカーユニット９の上方中央に配設しようとすると、球通路部７８がアタッカーユニット８の背面部分と物理的に干渉する虞があり、始動入賞装置７０を所望の位置に配設することが困難であった。しかし、本実施形態では、上述したように、始動入賞装置６０には球通路部が形成されておらず、遊技盤２に形成された遊技球通路８０が始動入賞装置６０の入球進入孔６３ａと連通するように、始動入賞装置６０が遊技盤２に組み付けられている。これにより、始動入賞装置６０は、例えば、図１に示すように、アタッカーユニット９の上方中央等の所望の位置に配設することが可能である。
【００６８】
次に、本発明の第２の実施形態について、図８乃至図１０を参照して説明する。先ず、第２の実施形態に係る弾球遊技機２０１の構成について説明するが、第１の実施形態の弾球遊技機１と異なる部分を中心に説明し、弾球遊技機１と同じ構成については説明を省略する。なお、弾球遊技機２０１の各構成には、弾球遊技機１の各構成に対応した符号を付している。
【００６９】
図８は、本発明の第２の実施形態に係る弾球遊技機２０１の遊技盤２０２の外観を示す正面図である。この弾球遊技機２０１の遊技盤２０２の略中央には、第１の実施形態とは異なる従来と同じ大きさの図柄表示装置２０３が配設される。
【００７０】
図柄表示装置２０３の下方には、遊技球が入賞可能な始動入賞装置２６０が配設され、その上部には拡大装置２６１、２６１が配設されている。また、図柄表示装置２０３の右方向には、遊技球が通過可能なゲート２０７が配設されている。
【００７１】
始動入賞装置２６０の下方には、第１、第２、第３のラウンド数抽選手段２２１、２２２、２２３（以下、「ラウンド数抽選装置」という）が配設されている。第１、第２、第３のラウンド数抽選手段２２１、２２２、２２３は段状に配設され、第１のラウンド数抽選手段２２１が上段に、第２のラウンド数抽選手段２２２と第３のラウンド数抽選手段２２３が下段にそれぞれ配設されている。第１のラウンド数抽選手段２２１は表示部２２１ｄを備え、第２のラウンド数抽選手段２２２は表示部２２２ｄを備え、第３のラウンド数抽選手段２２３は表示部２２３ｄをそれぞれ備えている。
【００７２】
図柄表示装置２０３の左方向には、遊技球を一つ収容し貯留する遊技球貯留部２２０が配設されている。遊技球貯留部２２０は通常は閉鎖され遊技球を収容することはないが、図柄表示装置２０３に停止表示される図柄が所定の当たり図柄の場合に遊技球貯留部２２０は開放され、遊技球を一つ収容し貯留する。
【００７３】
ラウンド数抽選装置の左右方向には入賞口２０５、２０５が配設され、ラウンド数抽選装置の下方にはアタッカーユニット２０８が配設されている。このアタッカーユニット２０８の正面略中央には大入賞口２０９が設けられ、大入賞口２０９の左方向には、表示部２０８ｄが配設されている。
【００７４】
アタッカーユニット２０８の下方で遊技盤２０２の下端には、アウト口２１０が配設され、更に遊技盤２０２には、遊技球の落下方向に変化を付けるための風車２１３、２１３、２１４、２１４や図示しない釘等が配設されている。
【００７５】
図９は、遊技球貯留部２２０、第１のラウンド数抽選手段２２１、第２のラウンド数抽選手段２２２、第３のラウンド数抽選手段２２３、及び、遊技球通路２８０等を示す概略図である。遊技球貯留部２２０、第１のラウンド数抽選手段２２１、第２のラウンド数抽選手段２２２、第３のラウンド数抽選手段２２３は、本実施形態の特徴部分を構成する遊技球通路２８０を介して連通される。遊技球通路２８０は、遊技盤２０２に形成された遊技球の通路であって、第１の通路２８１、第２の通路２８２、第３の通路２８３より略構成される。なお、遊技球通路２８０に関する特徴部分については後述する。
【００７６】
図９に示すように、遊技球貯留部２２０は第１の通路２８１を介して第１のラウンド数抽選手段２２１に連通されており、遊技球貯留部２２０に貯留された遊技球は、第１の通路２８１により第１のラウンド数抽選手段２２１に案内される。
【００７７】
第１のラウンド数抽選手段２２１は、クルーンと呼ばれる二つの孔が設けられた皿状の役物（物理的抽選手段）で、一つの孔が第１孔２２１ａ、他の孔が第２孔２２１ｂとなっている。第１孔２２１ａは遊技盤２０２に形成された第２の通路２８２を介して第２のラウンド数抽選手段２２２に連通され、第２孔２２１ｂは遊技盤２０２に形成された第３の通路２８３を介して第３のラウンド数抽選手段２２３に連通されている。第１のラウンド数抽選手段２２１に案内された遊技球は、第１孔２２１ａ又は第２孔２２１ｂのいずれかに振り分けられ、第２の通路２８２又は第３の通路２８３を介して第２のラウンド数抽選手段２２２又は第３のラウンド数抽選手段２２３のいずれかに案内される。
【００７８】
第２のラウンド数抽選手段２２２も、第１のラウンド数抽選手段２２１と同様に、二つの孔が設けられたクルーンで、一つの孔が第１孔２２２ａ、他の孔が第２孔２２２ｂとなっている。第２のラウンド数抽選手段２２２に案内された遊技球は、第１孔２２２ａ又は第２孔２２２ｂのいずれかに振り分けられる。
【００７９】
第３のラウンド数抽選手段２２３は、三つの孔が設けられたクルーンで、三つの孔は第１孔２２３ａ、第２孔２２３ｂ、第３孔２２３ｃで構成される。第３のラウンド数抽選手段２２３に案内された遊技球は、第１孔２２３ａ、第２孔２２３ｂ、第３孔２２３ｃのいずれかに振り分けられる。
【００８０】
図１０は、第３のラウンド数抽選手段２２３の構成の例を示す図であって、図１０（ａ）は上方向から見た略平面図、図１０（ｂ）は手前方向から見た略正面図である。図１０（ａ）、（ｂ）に示す第３のラウンド数抽選手段２２３に誘導された遊技球Ａは、スロープ２２３ｅに沿って流下し、底部２２３ｆ上を転動した後に、第１孔２２３ａ、第２孔２２３ｂ、第３孔２２３ｃのいずれかの孔に落下する。なお、第１のラウンド数抽選手段２２１及び第２のラウンド数抽選手段２２２の各構成は、第３のラウンド数抽選手段２２３に設けられた第３孔２２３ｃを含まないが、第１のラウンド数抽選手段２２１及び第２のラウンド数抽選手段２２２の基本的な構成は第３のラウンド数抽選手段２２３と同じである。
【００８１】
次に、ラウンド数抽選装置について図１１を参照して説明する。図１１は、第１、第２、第３のラウンド数抽選手段２２１、２２２、２２３、及び、大入賞口２０９を示す概略図である。
【００８２】
第１、第２、第３のラウンド数抽選手段２２１、２２２、２２３の第１孔２２１ａ、２２２ａ、２２３ａ、第２孔２２１ｂ、２２２ｂ、２２３ｂ、第３孔２２３ｃのそれぞれには、所定のラウンド数が割り当てられる。例えば、図１１（ａ）に示すように、第１のラウンド数抽選手段２２１の第１孔２２１ａには１０ラウンド、第２孔２２１ｂには５ラウンド、第２のラウンド数抽選手段２２２の第１孔２２２ａには５ラウンド、第２孔２２２ｂには１ラウンド、第３のラウンド数抽選手段２２３の第１孔２２３ａには５ラウンド、第２孔２２３ｂには３ラウンド、第３孔２２３ｃには１０ラウンドがそれぞれ割り当てられている場合について、以下の説明を行う。
【００８３】
第１の通路２８１により第１のラウンド数抽選手段２２１に案内された遊技球は、第１孔２２１ａ又は第２孔２２１ｂのいずれかに振り分けられる。第１孔２２１ａに振り分けられた遊技球は第２の通路２８２により第２のラウンド数抽選手段２２２に案内され、第２孔２２１ｂに振り分けられた遊技球は第３の通路２８３により第３のラウンド数抽選手段２２２に案内される。
【００８４】
図１１（ｂ）は、第１のラウンド数抽選手段２２１に案内された遊技球は斜線で示す第２孔２２１ｂに振り分けられ、続いて案内された第３のラウンド数抽選手段２２３でも斜線で示す第２孔２２３ｂに振り分けられた場合を示している。第１のラウンド数抽選手段２２１の表示部２２１ｄには、遊技球が振り分けられた第２孔２２１ｂに割り当てられた所定のラウンド数（５ラウンド）が表示され、同様に、第３のラウンド数抽選手段２２３の表示部１３ｄには、遊技球が振り分けられた第２孔２２３ｂに割り当てられた所定のラウンド数（３ラウンド）が表示されている。
【００８５】
また、大入賞口２０９の表示部２０９ｄには、第１のラウンド数抽選手段２２１の表示部２２１ｄに表示されたラウンド数（５ラウンド）と第３のラウンド数抽選手段２２３の表示部２２３ｄに表示されたラウンド数（３ラウンド）を合計したラウンド数（８ラウンド）が表示されている。そして、続いて開始される特別遊技において、大入賞口２０９は、表示部２０９ｄに表示されたラウンド数（８ラウンド）だけ開閉を繰り返し行う。すなわち、表示部２０９ｄに表示されたラウンド数が、特別遊技で実行される単位特別遊技のラウンド数となる。
【００８６】
次に、本実施形態の特徴部分を構成する遊技球通路２８０について、図９を参照して説明する。遊技球通路２８０（第１の通路２８１、第２の通路２８２、第３の通路２８３）は、例えば、遊技盤２０２の内部（内側）にトンネル状に形成された遊技球が通過可能な通路である。第１の通路２８１、第２の通路２８２、第３の通路２８３は、それぞれ遊技盤２０２の盤面と略平行な方向に直線状に延び、第１の通路２８１は第１のラウンド数抽選手段２２１側に下がる傾斜がつけられ、第２の通路２８２は第２のラウンド数抽選手段２２２側に下がる傾斜がつけられ、第３の通路２８３は第３のラウンド数抽選手段２２３側に下がる傾斜がそれぞれつけられている。これらの傾斜により、遊技球は遊技球通路２８０内を流下し、それぞれのラウンド数抽選装置に確実に案内される。
【００８７】
なお、遊技球通路２８０を遊技盤２０２の内部に形成させるのではなく、例えば、遊技盤２０２の盤面上に盤面と平行な方向に延びる溝を形成させ、この溝を透明又は半透明のカバーで覆わせることにより、遊技球通路２８０を遊技盤２０２に形成させてもよい。透明なカバーを用いることで、遊技者は遊技球の流れが視認可能となり、遊技者に新たな興趣を与えることができる。また、遊技球通路２８０に段差を形成させてもよく、段差を形成させることで遊技盤２０２のスペースを更に有効に利用することができ、遊技球の流れにも変化を与えることが可能となる。
【００８８】
このように、第２の実施形態に係る弾球遊技機２０１には、例えばクルーンで構成される第１、第２、第３のラウンド数抽選手段２２１、２２２、２２３（ラウンド数抽選装置）が遊技盤２０２に配設され、遊技球貯留部２２０、第１、第２、第３のラウンド数抽選手段２２１、２２２、２２３を結ぶ遊技球通路２８０が遊技盤２０２に形成されている。図８に示すように、遊技盤２０２には、遊技球貯留部２２０、第１、第２、第３のラウンド数抽選手段２２１、２２２、２２３の他に、図柄表示装置２０３、始動入賞装置２６０、アタッカーユニット２０８等の多くの遊技部品が配設されており、遊技内容を考慮しつつこれらの遊技部品を遊技盤２０２に有効に配置するのは困難である。例えば、遊技部品には遊技盤２０２の裏側に延びるケーブル等が接続されており、特に遊技盤２０２の裏面側のスペースは種々の制限を受ける。このため、遊技球貯留部２２０、第１、第２、第３のラウンド数抽選手段２２１、２２２、２２３を結ぶ遊技球の通路を遊技盤２０２の裏面側に配設することは困難であった。
【００８９】
そこで、本実施形態の弾球遊技機２０１では、遊技球貯留部２２０、第１、第２、第３のラウンド数抽選手段２２１、２２２、２２３を結ぶ遊技球の通路を遊技盤２０２に形成し、遊技盤２０２のスペースを有効に利用できるようにした。これにより、遊技部品の配置の自由度を向上させることが可能となり、また、遊技球を遊技盤２０２の所望の位置まで誘導することが容易となった。
【００９０】
以上、本発明の第１と第２の実施形態について説明したが、本発明に係る弾球遊技機１の構造では、入球進入孔６３ａが形成され、遊技盤２の正面（前面）側から装着された基体６３と、遊技球が入球可能な入球部６４ａ及び入球部６４ａから入球進入孔６３ａまで遊技球を案内する遊技球案内路６４ｂを有する装飾部材６４とを、備えた始動入賞装置６０（遊技部品）を遊技盤２に組み付けた弾球遊技機１の構造において、遊技盤２に遊技球が通行可能な遊技球通路８０を形成し、遊技球通路８０を入球進入孔６３ａに連通させたことを特徴とする。これにより、始動入賞装置６０（遊技部品）には、遊技盤２の配置に影響を与える球通路が形成されていないので、始動入賞装置６０（遊技部品）の配置の自由度を向上させることができる。また、遊技球通路８０が遊技盤２に形成されているので、遊技球通路８０により遊技球を誘導することが可能である。
【００９１】
また、本発明に係る弾球遊技機１の構造では、遊技球通路８０が遊技盤２の盤面と略平行に延びるので、遊技球を所望の位置まで誘導することが可能である。
【００９２】
また、本発明に係る弾球遊技機１の構造では、遊技球通路８０が遊技盤２の内部に形成されているので、限られたスペースを有効に利用することができ、始動入賞装置６０（遊技部品）の配置の自由度を更に向上させることが可能である。
【００９３】
また、本発明に係る弾球遊技機１の構造では、遊技球通路８０に段差が形成されているので、遊技球を確実に誘導することが可能である。
【００９４】
また、本発明に係る弾球遊技機１の構造では、遊技球通路８０が下方向又は斜め下方向に延びるので、遊技球を流下させて誘導することが可能である。
【００９５】
また、本発明に係る遊技盤２、２０２では、盤面と略平行に延びた遊技球通路８０、２８０が形成されたことを特徴とするので、遊技球を所望の位置まで誘導することができ、遊技部品の配置の自由度を向上させることが可能である。
【００９６】
また、本発明に係る遊技盤２、２０２では、遊技球通路８０、２８０が遊技盤２、２０２の内部に形成されているので、限られたスペースを有効に利用することができ、遊技部品の配置の自由度を更に向上させることが可能である。
【００９７】
また、本発明に係る遊技盤２、２０２では、遊技球通路８０、２８０に段差が形成されているので、遊技球を確実に誘導することが可能である。
【００９８】
また、本発明に係る遊技盤２、２０２では、遊技球通路８０、２８０が下方向又は斜め下方向に延びるので、遊技球を流下させて誘導することが可能である。
【００９９】
なお、本発明の範囲は上述した実施形態に限られず、特許請求の範囲の記載に反しない限り、他の様々な実施形態に適用可能である。例えば、第１の実施形態では、始動入賞装置６０について説明したが、入球進入孔が形成された基体と、入球部及び該入球部から入球進入孔まで遊技球を案内する遊技球案内路を有する装飾部材とを備えた遊技部品であれば、どのようなものであっても良い。
【産業上の利用可能性】
【０１００】
本発明は、遊技球を用いる弾球遊技機であれば、いわゆるパチンコ機のみならず、アレンジボール等他の弾球遊技機にも適用可能である。
【図面の簡単な説明】
【０１０１】
【図１】本発明の第１の実施形態に係る弾球遊技機１の遊技盤２の正面（前面）側盤面を示す正面図である。
【図２】センター役物２０の全体を示す斜視図である。
【図３】本実施形態に係る始動入賞装置６０を示す各図である。
【図４】始動入賞装置６０の背面側を示す斜視図である。
【図５】従来の始動入賞装置７０を示す各図である。
【図６】始動入賞装置７０の背面側を示す斜視図である。
【図７】遊技盤２から始動入賞装置６０とアタッカーユニット８とを外した状態を示す遊技盤２の部分拡大正面図（ａ）及び遊技盤２に形成された遊技球通路８０示す遊技盤２の部分横断面図（ｂ）である。
【図８】本発明の第２の実施形態に係る弾球遊技機２０１の遊技盤２０２の外観を示す正面図である。
【図９】遊技球貯留部２２０、第１のラウンド数抽選手段２２１、第２のラウンド数抽選手段２２２、第３のラウンド数抽選手段２２３、及び、遊技球通路２８０等を示す概略図である。
【図１０】第３のラウンド数抽選手段２２３の構成の例を示す略平面図（ａ）及び略正面図（ｂ）である。
【図１１】第１、第２、第３のラウンド数抽選手段２２１、２２２、２２３、及び、大入賞口２０９を示す概略図である。
【符号の説明】
【０１０２】
１、２０１  弾球遊技機、２、２０２  遊技盤面、３、２０３  図柄表示装置、５、２０５  入賞口、７、２０７  作動ゲート、８、２０８  アタッカーユニット、９、２０９  大入賞口、１０、２１０  アウト口、１１、２１１  普通図柄表示部、１２、２１２  ガイドレール、２０  センター役物、２１  役物入口、２２  案内通路、３０  上段ステージ、３１  第１のステージ、３２  第２のステージ、３３  特定窪み、３４  流下孔、３５  上段リブ、３６  中央リブ、３７  奥側リブ、４０  下段ステージ、４１  排出経路、４２  放射線状凹凸、４３  下段リブ、５０  特別通路、５１  傾斜部、５２  落下孔、６０、７０、２６０  始動入賞装置、６１、７１、２６１  拡大装置、６２、７２  入賞ゲート、６３、７３  基体、６３ａ、７３ａ  入球進入孔、６４、７４  装飾部材、６４ａ、７４ａ  入球部、６４ｂ、７４ｂ  遊技球案内路、６５、７５  入賞検出装置、６６、７６  拡大装置駆動機構、６７、７７  固定部材、７８  球通路部、８０  遊技球通路、８１  遊技球通路入口、８２  通路部、８３  遊技球通路出口、２２０  遊技球貯留部、２２１  第１のラウンド数抽選手段、２２２  第２のラウンド数抽選手段、２２３  第３のラウンド数抽選手段、２８０  遊技球通路、２８１  第１の通路、２８２  第２の通路、２８３  第３の通路
【図１】
2006043087.tif 000003
【図２】
2006043087.tif 000004
【図３】
2006043087.tif 000005
【図４】
2006043087.tif 000006
【図５】
2006043087.tif 000007
【図６】
2006043087.tif 000008
【図７】
2006043087.tif 000009
【図８】
2006043087.tif 000010
【図９】
2006043087.tif 000011
【図１０】
2006043087.tif 000012
【図１１】
2006043087.tif 000013